(57)【要約】【課題】  カラスや猫等の動物にゴミ袋内のゴミが荒されないように、集積されたゴミ袋に被せられるネットを、容易かつ短時間に収容および広げることができ、しかも、歩道等に容易に設置することができると共に通行の邪魔にならず、さらに、美観に優れたゴミ袋用ネット収容装置を提供する。【解決手段】  周囲に重り２が取り付けられたネット１と、ネット１を収納するための逆Ｕ字状に湾曲したネット収容管３と、ネット収容管３の一側に設けられたウインチ４とを備え、ネット１の中央部に固定され、ネット収容管３内に通されたワイヤー５を、ウインチ４により巻き上げることによって、ネット１は、ネット収容管３内に収容される。【選択図】  図３
2007099502.tif 000002
【特許請求の範囲】
【請求項１】
周囲に重りが取り付けられたネットと、前記ネットを収納するための逆Ｕ字状に湾曲したネット収容管と、前記ネット収容管の一側に設けられたウインチとを備え、前記ネットの中央部に固定され、前記ネット収容管内に通されたワイヤーを、前記ウインチにより巻き上げることによって、前記ネットは、前記ネット収容管内に収容されることを特徴とするゴミ袋用ネット収容装置。
【請求項２】
前記ネット収容管の一側が柱に取り付けられ、前記ネット収容管は、前記柱に対して水平に旋回可能であることを特徴とする、請求項１記載のゴミ袋用ネット収容装置。
【請求項３】
前記ネット収容管の他側は、前記ネットが収容されやすいように拡径していることを特徴する、請求項１または２記載のゴミ袋用ネット収容装置。
【請求項４】
前記ネット収容管の長さは、前記ワイヤーにより前記ネットを引き上げたときに前記ネットを収容することができる長さとほぼ等しいことを特徴とする、請求項１から３の何れか１つに記載のゴミ袋用ネット収容装置。
【発明の詳細な説明】
【技術分野】
【０００１】  この発明は、ゴミ袋用ネット収容装置、特に、カラスや猫等の動物にゴミ袋内の生ゴミが荒されないように、集積されたゴミ袋に被せられるネットを、容易かつ短時間に収容および広げることができ、しかも、歩道等に容易に設置することができると共に通行の邪魔にならず、しかも、美観に優れたゴミ袋用ネット収容装置に関するものである。
【背景技術】
【０００２】  従来、商店街や住宅地等においては、ゴミ集積指定場所が決められ、指定日にこの指定場所に生ゴミ等を出すようになっている。しかしながら、ゴミ集積指定場所に出された生ゴミがカラスや猫等の動物に荒らされて、衛生面上、悪影響を及ぼすばかりか、動物の異常繁殖の原因となっていた。【０００３】  そこで、上記問題を解決する手段として、特許文献１（特開２００３−３１２８０６号公報）には、下記従来技術１が開示されている。以下、従来技術１を、図面を参照しながら説明する。【０００４】  図４は、従来技術１を示す平面図である。従来技術１は、ネット２１の周囲に、鉄製チェーン等からなる重り２２を取り付けたものからなっている。【０００５】  従来技術１によれば、ネット２１を集積されたゴミ袋に被せれば、重り２２の作用によってネット２１の周囲が簡単には持ち上がらない。従って、カラスや猫等の動物がネット２１内に浸入することを阻止できるので、生ゴミが荒らされることを防止できる。【０００６】  また、特許文献２（特開２００３−３２７３０２号公報）には、従来技術２が開示されている。以下、従来技術２を、図面を参照しながら説明する。【０００７】  図５は、従来技術２を示す斜視図である。従来技術２は、基台２３に開閉自在に取り付けられた複数本のアーチ状骨材２４に、ゴミ投入口２５Ａが形成されたネット２５を張ったものからなっている。【０００８】  従来技術２によれば、骨材２４を広げてネット２５を張った状態でゴミ集積場所に設置し、ゴミ投入口２５Ａから、あるいは、ネット２５を持ち上げた状態でゴミ袋をネット２５内に投入すれば、ゴミ袋は、ネット２５によって保護される。従って、カラスや猫等の動物がネット２５内に浸入することを阻止できるので、生ゴミが荒らされることを防止できる。【０００９】
【特許文献１】  特開２００３−３１２８０６号公報
【特許文献２】  特開２００３−３２７３０２号公報
【発明の開示】
【発明が解決しようとする課題】
【００１０】  上述した従来技術１および２によれば、ゴミ袋がネットにより被われることによって、カラスや猫等の動物がネット内に浸入することを阻止できるので、生ゴミが荒らされることを未然に防止できる。【００１１】  しかしながら、従来技術１は、ネット２１の周囲に取り付けられた多数の重り２２のために、ネット１全体の重量が嵩むことから、取り扱いに不便なばかりか、ネット２１の不使用時のしまい場所に問題があった。通常、この種のネットは、不使用時には、塀等にかけておくが、極めて美観が悪い。【００１２】  一方、従来技術２は、軽量化が図れ、比較的コンパクトに折り畳める反面、面積が大きいので、収納場所に問題があった。【００１３】  従って、この発明の目的は、カラスや猫等の動物にゴミ袋内のゴミが荒されないように、集積されたゴミ袋に被せられるネットを、容易かつ短時間に収容および広げることができ、しかも、歩道等に容易に設置することができると共に通行の邪魔にならず、さらに、美観に優れたゴミ袋用ネット収容装置を提供することにある。
【課題を解決するための手段】
【００１４】  この発明は、上記目的を達成するためになされたものであって、下記を特徴とする。【００１５】  請求項１記載の発明は、周囲に重りが取り付けられたネットと、前記ネットを収納するための逆Ｕ字状に湾曲したネット収容管と、前記ネット収容管の一側に設けられたウインチとを備え、前記ネットの中央部に固定され、前記ネット収容管内に通されたワイヤーを、前記ウインチにより巻き上げることによって、前記ネットは、前記ネット収容管内に収容されることに特徴を有するものである。【００１６】  請求項２記載の発明は、請求項１記載の発明において、ネット収容管の一側が柱に取り付けられ、ネット収容管は、前記柱に対して水平に旋回可能であることに特徴を有するものである。【００１７】  請求項３記載の発明は、請求項１または２記載の発明において、ネット収容管の他側は、ネットが収容されやすいように拡径していることに特徴を有するものである。【００１８】  請求項４記載の発明は、請求項１から３の何れか１つに記載の発明において、ネット収容管の長さは、ワイヤーによりネットを引き上げたときにネットを収容することができる長さとほぼ等しいことに特徴を有するものである。
【発明の効果】
【００１９】  この発明によれば、カラスや猫等の動物にゴミ袋内のゴミが荒されないように、集積されたゴミ袋に被せられるネットを、容易かつ短時間に収容および広げることができ、しかも、歩道等に容易に設置することができると共に通行の邪魔にならず、さらに、美観に優れたゴミ袋用ネット収容装置を提供することができる。
【発明を実施するための最良の形態】
【００２０】  この発明の車止め装置の一実施態様を、図面を参照しながら説明する。【００２１】  図１は、この発明のゴミ袋用ネット収容装置を示す正面図、図２は、図１のＡ−Ａ線断面図、図３は、この発明のゴミ袋用ネット収容装置の使用状態を示す正面図である。【００２２】  図１から図３において、１は、周囲にリング状の重り２が取り付けられた円形状のポリエチレン製ネット、３は、ネット１を収納するための逆Ｕ字状に湾曲した樹脂製ネット収容管、４は、ネット収容管３の一側に設けられたウインチである。ネット１の中央部には、ワイヤー５が固定され、ワイヤー５は、ネット収容管３内を通され、ウインチ４により巻き上げられるようになっている。【００２３】  ネット収容管３の一側は、柱６にバンド７により、柱６に対して水平に旋回可能に取り付けられている。ネット収容管３の他側は、ネット１が収容されやすいように拡径している。ネット収容管３の長さは、ワイヤー５によりネット１を引き上げたときにネット１を収容することができる長さとほぼ等しくなっている。なお、柱６は、固定式であっても移動可能なものであっても良い。【００２４】  この発明のゴミ袋用ネット収容装置は、上述のように構成されているので、集積されたゴミ袋８にネット１を被せる場合には、図１に示すネット収容状態からネット１の下端を手で下方に引っ張る。このとき、ウインチ４は、空回りし、ワイヤー５がウインチ４から繰り出される。これによって、ネット１は、ネット収容管３から下方に引き出される。【００２５】  このようにして、ネット１を予め引き出して、路面に広げておき、図２に示すように、ネット１内にゴミ袋８を入れる。このようにして、集積されたゴミ袋８にネット１が被せられる。ネット１の周囲には重りが取り付けられているので、ネット１の端部は、簡単には、持ち上がらない。従って、カラスや猫等の動物がネット１内に浸入することを阻止できるので、生ゴミが荒らされることを未然に防止できる。【００２６】  一方、集積されたゴミ袋８の回収時には、ウインチ４を手で回してワイヤー５を巻き上げる。これによって、ネット１が引き上げられ、図１に示すように、ネット収容管３内に完全に収容される。この後、ゴミ袋８の回収を行う。ネット収容管３の他側は、拡径しているので、ネット１は収容されやすい。ネット１は、ネット収容管３内に完全に収容されるので、美観も良い。【００２７】  ゴミ袋８の回収後、ネット収容管３を柱６に対して水平に旋回させれば、ネット収容管３が通行の邪魔になることもない。なお、ネット１をネット収容管３内に収容後、ネット１の重量によりネット１がネット収容管３内から下降する恐れは、ネット収容管３内に引き込まれたネット１とネット収容管３の内壁との摩擦抵抗により皆無である。この結果、ウインチ４に逆回転防止用のラチェット等を設ける必要はない。【００２８】  以上説明したように、この発明によれば、ネット収容管を設けることによって、カラスや猫等の動物にゴミ袋内のゴミが荒されないように、集積されたゴミ袋に被せられるネットを容易かつ短時間に収容および広げることができ、しかも、ネット収容管を旋回可能とすることによって、通行の邪魔にならず、さらに、ネットは、ット収容管内に完全に収容可能であるので、美観に優れる等、種々の有用な効果がもたらされる。
【図面の簡単な説明】
【００２９】
【図１】  この発明のゴミ袋用ネット収容装置を示す正面図である。
【図２】  図１のＡ−Ａ線断面図である。
【図３】  この発明のゴミ袋用ネット収容装置の使用状態を示す正面図である。
【図４】  従来技術１を示す平面図である。
【図５】  従来技術２を示す斜視図である。
【符号の説明】
【００３０】  １：ネット
２：重り
３：ネット収容管
４：ウインチ
５：ワイヤー
６：柱
７：バンド
８：ゴミ袋
２１：ネット
２２：重り
２３：基台
２４：骨材
２５：ネット
２５Ａ：ゴミ投入口
【図１】
2007099502.tif 000003
【図２】
2007099502.tif 000004
【図３】
2007099502.tif 000005
【図４】
2007099502.tif 000006
【図５】
2007099502.tif 000007